(57)【要約】砲弾後部５と、マーキング材料１３例えば染料粉末が封入されている中空先頭部６とを有する砲弾ボディ４を有する砲弾２が開示される。例えば、先頭部が損傷したときに、粉末染料が放出されて、砲弾が発射される火器を汚損することを防止するために、マーキング材料１３は、砲弾が目標に当たったときに破裂する保護キャップ１４で覆われる。
2007532849.tif 000002
【特許請求の範囲】
【請求項１】
砲弾が目標に当たったときに先頭部が破裂してマーキング材料（特に、染料粉末）が放出されるように、マーキング材料（特に、染料粉末）が封入されており且つ目標に当たったときに破裂する中空先頭部を有する砲弾ボディを有する砲弾（特に演習弾）であって、前記マーキング材料（１３）は、砲弾（２）が目標に当たったときに破裂する保護キャップ（１４）で覆われていることを特徴とする砲弾。
【請求項２】
砲弾先端部の領域において、前記先頭部（６）と前記保護キャップ（１４）との間に中間空間（１５）が残されていることを特徴とする請求項１に記載の砲弾。
【請求項３】
前記先頭部（６）及び前記保護キャップ（１４）上に載るように、前記中間空間（１５）内に充填材料が挿入されていることを特徴とする請求項２に記載の砲弾。
【請求項４】
前記充填材料は柔軟な発泡体であることを特徴とする請求項３に記載の砲弾。
【請求項５】
前記充填材料は、前記先頭部（６）と前記保護キャップ（１４）との間の前記中間空間（１５）内に挿入されたプレート状片であることを特徴とする請求項３又は４に記載の砲弾。
【請求項６】
前記マーキング材料は、染料粉末（１３）と、その染料粉末（１３）のための容器（２１）の一つの内部の複数の構成成分からなる化学発光材料とを具備することを特徴とする請求項１に記載の砲弾。
【請求項７】
化学発光材料のための前記容器（２１）は、砲弾が目標に当たったときに破裂して、構成成分が混合されて発光が生じることを特徴とする請求項６に記載の砲弾。
【請求項８】
前記容器（２１）は、前記化学発光材料の前記構成成分が配置されている２つの区画（２１、２２）を有していることを特徴とする請求項６に記載の砲弾。
【請求項９】
化学発光材料のための前記容器（２１）は、砲弾の捩れ及／又は初期加速で壊れて開き、前記化学発光材料の前記構成成分が一緒に混合して化学発光が生じ、その化学発光により生じた光を砲弾ボディの外部に案内するために砲弾内に光通路（２３、２４、２５、１１）が設けられていることを特徴とする請求項６に記載の砲弾。
【発明の詳細な説明】
【技術分野】
【０００１】
本発明は、砲弾に関するものであり、目標に当たると爆発する中空の先頭部（カップ状頭部）を有する砲弾ボディを具備する演習弾（模擬弾）に関するものである。この先頭部は、染料、特に着色粉末を入れており、砲弾が目標に当たって先頭部が破裂したときに着弾点をマークするようにマーキング材料が放出される。
【背景技術】
【０００２】
演習弾（模擬弾）、例えば、爆薬を内臓していない演習用砲弾や演習用爆弾の場合、最適な演習結果が得られるように目標上の着弾点をマークすることが重要である。
その目的のために、砲弾は、マーキング材料、例えば、赤い染料粉末を封入した先頭部を先端に有している。その先頭部は、その先頭部が目標に当たったとき破裂して染料粉末を放出するプラスチックのような材料で作られている。その染料は、着弾点を中心にして或る半径の範囲に撒き散らされ、更には、風によっても撒き散らされ、着弾点を明瞭に指示する。
【発明の開示】
【発明が解決しようとする課題】
【０００３】
上述した形式の砲弾には、例えば、速射砲にベルト供給されて連射される中型口径（４０ｍｍ）の砲弾がある。
【０００４】
かかる砲弾を取り扱う場合、ベルト内の砲弾の先頭部は、先頭部が物体に当たったときに時々壊れて開いてしまい、少なくともマーキング材料を一部放出して他の砲弾を汚損してしまう。このような事態が発生したときには、ベルト内の影響を受けた砲弾を交換しなければならない。また、例えば、砲弾が速射砲に不適切に整列されている場合には、更に悪い。そのような場合、砲弾の先頭部が、速射砲のチャンバー内で破壊される可能性があり、火器（兵器）自体を汚損してしまい、その後、火器をクリーニングしなければならず、時間の損失になる。更に又は、その火器から発射される実弾の不整列は、装填ジャムにつながる可能性がある。
【０００５】
そこで、本発明の目的は、先頭部が破壊されてマーキング材料を放出されることを防止することである。
【０００６】
更に、本発明の目的は、先頭部が撃発チャンバー内で破裂した場合の火器の汚損を防止することである。
【課題を解決するための手段】
【０００７】
本発明によるならば、先頭部内にマーキング材料が封入されており、そのマーキング材料が、砲弾が目標に当たったときには破裂する保護キャップによって保護されている、上記した形式の砲弾が提供される。
【０００８】
更に、そのマーキング材料は、先頭部が不適切な取り扱いによって破損しても、上記保護キャップによって保護され、マーキング材料の放出は生じない。
【０００９】
砲弾の先端近くの保護キャップと先頭部の内壁との間に中間的な空間が確保されているならば、保護は更に増大することができる。
【００１０】
上記した中間的な空間には、充填材料を充填することが好ましい。その充填材料は、例えば、保護キャップの外壁と先頭部の内壁とに載置される柔軟な発泡体とすることができる。充填材料は、先頭部が破裂したときに、保護キャップを傷つけたかもしれない飛散物を捕捉するように機能することが重要である。
【００１１】
例えば、不整列のために速射砲の撃発チャンバー内で先頭部が損傷しても、火器が、漏れ出すマーキング材料によって汚損されることはなく、飛散物も捕捉される。従って、砲弾を問題なく撃発することが可能である。
【００１２】
上述した記載では、マーキング材料として赤い粉末しか説明していない。多くの場合、複数の区画を有する容器内に収容されている化学発光材料のような、夜間でも視認可能な材料を含むことが効果的である。砲弾が目標に当たったとき、化学発光材料を収容している区画内の容器が壊れて、化学発光材料成分を混合し、発光効果が発揮される。そのような組み合わせの使用は、目標着弾点を、昼間でも夜間でも視認可能にする。
【００１３】
化学発光材料のための複数区画を有する容器は、以下の特許文献１に記載されているように、初期加速によって、及び／又は、適切に設計された自転式安定化砲弾を使用する場合には、遠心力によって破壊されて、砲弾が飛翔中に砲弾の弾道を光学的に追跡することができる。この場合、染料粉末は、化学発光材料を収容している容器と先頭部の外側との間に置かれるならば、化学発光材料によって発せられた光を放出できるように砲弾内に適切な通路を設けなければならない。そのために、例えば、砲弾の本体の複数の領域（いわゆる螺旋状帯状部）を透明材料で作ることができ、化学発光材料によって発せられた光が、螺旋状帯状部の領域内に中空空洞内に流れるようにできる。この場合、透明プラスチックの適当な光導体が可能であり、これら光導体又は他の通路は、染料粉末から砲弾ボディの適切な透明領域又は先頭部まで延在させることもできる。
【特許文献１】EP−B1−１１８３４９４
【００１４】
以下、図面を参照して本発明を詳細に説明する。
【発明を実施するための最良の形態】
【００１５】
図１は、演習弾１の断面図であり、演習弾１は、カートリッジシェルに装着された砲弾２を有する。砲弾２は、砲弾ボディ４を有しており、その砲弾ボディ４は、カートリッジシェル３に面する砲弾基部５と、前部の先頭部６を有している。カートリッジシェル３内には、高圧推進室が設けられ、点火器９による点火により燃焼する推進薬８が充填されている。推進薬からの推進ガスは、オーバーフローチャネル１０を通って低圧推進室７ａに流入し、その低圧推進室７ａ内において砲弾基部５に作用する。低圧推進室７ａ内は或るガス圧力を超えると、カートリッジシェル３と砲弾との間の意図的な破断点Sが破断して、カートリッジシェル３から砲弾２か推進する。
【００１６】
図示の演習弾は、ライフル付き砲身を有する火器から通常発射され、従って、砲弾ボディ４に旋状用又は案内用の帯状部１１が設けられている。
【００１７】
カートリッジシェルと砲弾とを有するそのような演習弾は、例えば、以下の特許文献２に開示されている。
【特許文献２】米国特許第５９３６１８９号明細書
【００１８】
先頭部６は、砲弾ボディ内の挿入体１２の上に載っており、その挿入体１２は、砲弾ボディ４の長手方向軸Ａに対して直角に延在している。例えば、先頭部６は、プラスチック部分であり、円筒形下部から、ユニヴァーサルボールジョイントのような形状を有する丸いフードへの形がかわってゆく。先頭部６の中空の内部には、マーキング材料、本実施例の場合、赤い染料粉末が封入されており、マーキング材料は、保護キャップ１４内に入れられ、その保護キャップ１４はマーキング材料を覆っている。例えば、保護キャップ１４は、ポリエチレンテレフタテート（ＰＥＴ）で作られており、染料で完全に充填されて、先頭部６にほぼ対応する形を有している。すなわち、先頭部６の円筒状部分の内壁に密着している円筒状下部と、頭部とほぼ平行に延在する丸いフードとを有している。保護キャップ１４と先頭部６との間に小さい中間空間１５が設けられ、その中間空間１５には、充填剤１６が充填され、その充填剤は、保護キャップ１４と先頭部１５の丸いフードの内壁とに接している。この充填剤は、例えば、図２に示すような柔軟な発泡体プレートとすることができる。砲弾が製造されるとき、その発泡体プレート１６が、先頭部６の丸いフード内に挿入され、染料材料１３で満たされた保護キャップ１４と挿入体１２とが、先頭部に挿入される。
【００１９】
上述したように、砲弾２の先頭部６の丸い部分が、例えばカートリッジの不適切な取り扱いによって又は撃発される火器の撃発チャンバーとの不整列によって損傷した場合、先頭部と保護キャップとの間の空間により、保護キャップが無傷のまま維持され、染料が漏れることがない状態が確保される。発泡体の基本的な機能は、損傷した先頭部からの飛散物による損傷から保護キャップを保護することである。
【００２０】
図３は、先頭部６内の保護キャップ１４に染料粉末が封入されている、砲弾ボディ４と先頭部６とを有する砲弾２の断面図である。図１に示す砲弾のように、保護キャップ１４と先頭部との間に空間１５が残されており、その空間内に柔軟なプラスチックプレート１６が挿入されている。
【００２１】
内部容器２２が内部に設けられている容器２１が、先頭部６の基部を形成している挿入体１２の上に載っている。他の材料と混ざると化学発光を伴う反応を生じる材料が、内部容器２２内及び内部容器２２と容器２１との間の空間に封入されている。砲弾が目標に当たると即座に、先頭部６が破裂して、染料粉末が放出される。同時に、容器２１及び２２が壊れて、２つの化学発光材料が互いに反応して、通常の可視スペクトル領域において、又は恐らく、長い距離にわたって認識可能な赤外線領域において、発光信号を発する。
【００２２】
上記した米国特許第５９３６１８９号明細書に記載されているように、２つの容器２１及び２２は、砲弾の初期加速で及び／又は撃発直後の砲弾の捩れ運動によって即座に破裂して、化学発光反応が開始されるように構成することも可能である。そのようにしてつくられた光が砲弾の外部に案内されると、砲弾の軌道を追跡することもできる。
【００２３】
２つの容器２１及び２２の下の部分的領域２３が少なくとも透明であるように挿入体１２の基部を構成して、化学発光の光が砲弾ボディの中空空洞２４内に入って輝くようにすることも１つの選択肢である。螺旋状又は案内用帯状部１１を透明にして、中空空洞２４の壁を螺旋状又は案内用帯状部の領域２５におくように構成するならば、光は中空空洞２４から外部に出ることができ、砲弾の軌道を追跡することができる。
【００２４】
当然、化学発光により生成された光のための他の通路を設けることも可能である。例えば、挿入体１２自体を透明にして、砲弾ボディの壁の半透明領域まで延在させて、光が外部から認識できるようにすることもできる。
【００２５】
以上、本発明の複数の効果的な実施例を説明したが、本発明の目的から逸脱することなく、上記実施例の変更及び修正が可能であることは当業者にはあきらかであろう。
【図面の簡単な説明】
【００２６】
【図１】先頭部内において保護キャップで保護されているマーキング材料を含むカートリッジシェルからなる、カートリッジ式弾薬の演習弾の断面図である。
【図２】図１に示す砲弾内の保護キャップと先頭弾との間に挿入されている柔軟な発泡体プレートを図示している。
【図３】砲弾の軌道及び砲弾の目標への着弾点を昼間も夜間の視認可能にするための組み合わせマーキング材料を使用した砲弾の第２の実施例の断面図である。
【図１】
2007532849.tif 000003
【図２】
2007532849.tif 000004
【図３】
2007532849.tif 000005
【国際調査報告】
2007532849.tif 000006
2007532849.tif 000007
2007532849.tif 000008
2007532849.tif 000009
2007532849.tif 000010
2007532849.tif 000011